(57)【特許請求の範囲】
【請求項１】
軸方向に貫通し永久磁石（220）が挿入される磁石用スロット（211）が周方向に複数形成されたロータコア（210）を有するロータ（200）と、上記ロータコア（210）の外周側に該ロータコア（210）とギャップを存して対向配置されたステータコア（110）を有するステータ（100）とを備えた回転電気機械であって、
上記永久磁石（220）と離隔して設けられ、温度に応じて、上記ロータコア（210）における上記磁石用スロット（211）の外周側部分（217）と内周側部分（218）とに磁気的に繋がる磁気接続部材（251,252）を備え、
上記磁気接続部材（251）は、温度に応じて変形し、その変形によって上記外周側部分（217）と内周側部分（218）とに接触するバイメタルである
ことを特徴とする回転電気機械。
【請求項２】
請求項１において、
上記ロータ（200）は、上記ロータコア（210）とその軸方向に積層される端板（230）を有し、
上記磁気接続部材（251）は、板状に形成されて、上記端板（230）の薄肉部（235）における上記ロータコア（210）側の面に設けられ、上記磁気接続部材（251）の両端が温度に応じて上記ロータコア（210）側へ折れ曲がることによって上記外周側部分（217）と内周側部分（218）とに接触するように構成されている
ことを特徴とする回転電気機械。
【請求項３】
請求項１または２において、
上記永久磁石（220）は、板状に形成され、
上記磁石用スロット（211）では、上記永久磁石（220）が該永久磁石（220）の平面視長手方向の両端側に空隙を存して挿入され、
上記磁気接続部材（251）は、上記外周側部分（217）および内周側部分（218）のうち上記磁石用スロット（211）の上記空隙に対応する部分に接触するように構成されている
ことを特徴とする回転電気機械。
【発明の詳細な説明】
【技術分野】
【０００１】
本発明は、磁石が挿入されたロータを有する回転電気機械に関するものである。
【背景技術】
【０００２】
磁石補助型のシンクロナスリラクタンスモータ（SynRM：Synchronous Reluctance Motor）や内部磁石埋込型モータ（IPMモータ：Interior Permanent Magnet）などの回転電気機械は、磁石が挿入されたロータコアを有している。このような回転電気機械では、ロータコアの永久磁石に、何らかの原因で、大きな逆磁界がステータから作用し、永久磁石の磁力が低減する現象（減磁）が起こる場合がある。
【０００３】
これに対して、磁束の磁路を工夫することで、減磁の対策を図ったものが、例えば特許文献１に開示されている。この特許文献１のロータでは、永久磁石の表面上に磁性部材が配置されている。そして、ロータ鉄心と磁気的に結合し且つ上記磁性部材の端部と空隙をおいて、磁性材製のエンドリングが設けられている。
【先行技術文献】
【特許文献】
【０００４】
【特許文献１】特開平８−５１７５１号公報
【発明の概要】
【発明が解決しようとする課題】
【０００５】
ところで、特許文献１の例では、ロータ本体とエンドリングの間には空隙が設けられているので、モータ全体としてのサイズを従来通りに維持しようとすると、ロータ鉄心の配置スペースが小さくなってしまう。すなわち、ロータ鉄心が小さくなり、回転電気機械としての性能が低下してしまうという問題があった。逆に、ロータ鉄心のサイズを従来通りに確保すれば、モータ全体としてのサイズが大きくなってしまい、コストアップにつながるという問題があった。
【０００６】
本発明は、かかる点に鑑みてなされたものであり、その目的は、磁石が挿入されたロータを有する回転電気機械において、性能を低下させることなく、磁石の減磁を抑制することにある。
【課題を解決するための手段】
【０００７】
本発明は、上述した目的を達成するために、ロータコア（210）における磁石用スロット（211）の外周側部分（217）と内周側部分（218）とを磁気的に接続することによって、ステータ（100）からロータコア（210）へ逆磁界が作用した際にその磁束の磁路を短絡させるようにした。
【０００８】
具体的に、第１の発明は、軸方向に貫通し永久磁石（220）が挿入される磁石用スロット（211）が周方向に複数形成されたロータコア（210）を有するロータ（200）と、上記ロータコア（210）の外周側に該ロータコア（210）とギャップを存して対向配置されたステータコア（110）を有するステータ（100）とを備えた回転電気機械を対象としている。そして、本発明は、上記永久磁石（220）と離隔して設けられ、温度に応じて、上記ロータコア（210）における上記磁石用スロット（211）の外周側部分（217）と内周側部分（218）とに磁気的に繋がる磁気接続部材（251,252）を備えている。
【０００９】
上記第１の発明では、磁気接続部材（251,252）が高温または低温になると、磁気接続部材（251,252）が変態して外周側部分（217）と内周側部分（218）とに磁気的に繋がる。そうすると、ステータ（100）からロータコア（210）の外周側部分（217）へ逆磁界が作用した場合、その磁束の全部または一部は、永久磁石（220）を通過することなく、磁気接続部材（251,252）を介して内周側部分（218）へ向かう。そのため、逆磁界による永久磁石（220）の減磁が抑制される。つまり、本発明は、磁気接続部材（251,252）を設けることによって、永久磁石（220）に作用する磁界強度が小さくなる。磁気接続部材（251,252）は、回転電気機械の周囲の気温などによって温度が上下する。また、冷媒などの流体を圧縮する圧縮機のケーシング内に本発明に係る回転電気機械が設けられる場合、磁気接続部材（251,252）の温度は、ケーシング内を流通する流体の温度などによっても上下する。
【００１０】
また、第１の発明は、上記磁気接続部材（251）は、温度に応じて変形し、その変形によって上記外周側部分（217）と内周側部分（218）とに接触するバイメタルである。
【００１１】
上記第１の発明の磁気接続部材（251）は、温度が高くなる前（即ち、熱が加えられる前）は外周側部分（217）および内周側部分（218）には接触していない。そして、磁気接続部材（251）は、温度が高くなると（即ち、熱が加えられると）、形状が変化して外周側部分（217）と内周側部分（218）とに接触する。これによって、外周側部分（217）と内周側部分（218）とは磁気接続部材（251）を介して磁気的に接続される。
【００１２】
第２の発明は、上記第１の発明において、上記ロータ（200）は、上記ロータコア（210）とその軸方向に積層される端板（230）を有している。そして、上記磁気接続部材（251）は、板状に形成されて、上記端板（230）の薄肉部（235）における上記ロータコア（210）側の面に設けられ、上記磁気接続部材（251）の両端が温度に応じて上記ロータコア（210）側へ折れ曲がることによって上記外周側部分（217）と内周側部分（218）とに接触するように構成されている。
【００１３】
上記第２の発明の磁気接続部材（251）は、温度が高くなる前（即ち、熱が加えられる前）はロータコア（210）と接触していない。そして、磁気接続部材（251）は、温度が高くなると（即ち、熱が加えられると）、両端が折れ曲がるように変形してそれぞれ外周側部分（217）と内周側部分（218）とに接触する。これによって、外周側部分（217）と内周側部分（218）とは磁気接続部材（251）を介して磁気的に接続される。
【００１４】
第３の発明は、上記第１または第２の発明において、上記永久磁石（220）は、板状に形成され、上記磁石用スロット（211）では、上記永久磁石（220）が該永久磁石（220）の平面視長手方向の両端側に空隙を存して挿入されている。そして、上記磁気接続部材（251）は、上記外周側部分（217）および内周側部分（218）のうち上記磁石用スロット（211）の上記空隙に対応する部分に接触するように構成されている。
【００１５】
永久磁石（220）の減磁は、永久磁石（220）の両端部において発生しやすい。本発明では、永久磁石（220）の両端側において、外周側部分（217）と内周側部分（218）とが磁気接続部材（251）によって磁気的に繋がる。そのため、永久磁石（220）の減磁が効果的に抑制される。
【発明の効果】
【００１６】
以上のように、本発明では、温度に応じて、ロータコア（210）における磁石用スロット（211）の外周側部分（217）と内周側部分（218）とに磁気的に繋がる磁気接続部材（251,252）を設けるようにした。そのため、ステータ（100）からロータコア（210）の外周側部分（217）へ逆磁界が作用した場合、その磁束の全部または一部を、永久磁石（220）を通過させることなく磁気接続部材（251,252）を介して内周側部分（218）へ向かわせることができる。これによって、逆磁界による永久磁石（220）の減磁を抑制することができる。また、磁気接続部材（251,252）を設けるのみなので、ロータコア（210）のサイズを従来通りに維持することができる。これによって、モータ（10）としての性能を低下させずにすむ。以上により、本発明によれば、性能を低下させることなく、永久磁石（220）の減磁を抑制することができる。
【００１７】
また、永久磁石（220）が例えばネオジウム磁石の場合は高温領域で、永久磁石（220）が例えばフェライト磁石の場合は低温領域で、逆磁界による減磁が発生しやすい。したがって、磁気接続部材（251,252）が高温領域または低温領域で外周側部分（217）と内周側部分（218）とに磁気的に繋がるように構成することで、逆磁界による永久磁石（220）の減磁を効果的に抑制することが可能である。
【００１８】
また、第１の発明によれば、温度に応じて変形するバイメタルを磁気接続部材（251）として用いているため、逆磁界による永久磁石（220）の減磁を簡易且つコンパクトな構成で抑制することができる。
【００１９】
第２の発明によれば、ロータコア（210）に積層される端板（230）に薄肉部（235）を設けて、その薄肉部（235）に磁気接続部材（251）を設けるようにしたので、ロータ（200）の大型化を招くことなく、永久磁石（220）の減磁を抑制することが可能である。
【００２０】
第３の発明によれば、永久磁石（220）の両端側において外周側部分（217）と内周側部分（218）とを磁気接続部材（251,252）によって磁気的に接続するようにしたため、逆磁界による永久磁石（220）の減磁を効果的に抑制することができる。
【図面の簡単な説明】
【００２１】
【図１】図１は、実施形態１に係るモータを示す横断面図である。
【図２】図２は、ステータの一部を示す斜視図である。
【図３】図３は、ステータコアのティース部を内周側から視て示す断面図である。
【図４】図４は、実施形態１に係るロータを示す分解斜視図である。
【図５】図５は、実施形態１に係るロータの端板を内側から視て示す平面図である。
【図６】図６は、ロータの端板の薄肉部を外周側から視て示す側面図である。
【図７】図７は、ロータを軸方向に視て示す平面図である。
【図８】図８は、図７のVIII−VIII線における断面図である。
【図９】図９は、バイメタルが変形した状態を示す図８相当の断面図である。
【図１０】図１０は、実施形態２に係るロータコアを軸方向に視て示す平面図である。
【図１１】図１１は、図１０のXI−XI線における断面図である。
【発明を実施するための形態】
【００２２】
以下、本発明の実施形態を図面に基づいて説明する。なお、以下の実施形態は、本質的に好ましい例示であって、本発明、その適用物、あるいはその用途の範囲を制限することを意図するものではない。
【００２３】
《実施形態１》
本発明の実施形態１について説明する。本実施形態のモータ（10）は、本発明に係る回転電気機械を構成するものであり、例えば空気調和機に設けられ冷媒を圧縮する電動圧縮機（図示は省略）に用いられる。
【００２４】
本実施形態のモータ（10）は、図１に示すように、ステータ（100）、ロータ（200）および駆動軸（300）を備え、上記電動圧縮機のケーシング（20）に収容されている。なお、以下の説明において、軸方向とは駆動軸（300）の軸心の方向をいい、径方向とは上記軸心と直交する方向をいう。また、外周側とは上記軸心からより遠い側をいい、内周側とは上記軸心により近い側をいう。
【００２５】
〈ステータの構成〉
ステータ（100）は、図１に示すように、円筒状のステータコア（110）と、コイル（120）を備えている。
【００２６】
ステータコア（110）は、電磁鋼板（P）をプレス加工によって打ち抜いて積層板を作成し、複数の積層板を軸方向に積層した積層コアである。図２は、ステータ（100）の斜視図である。ステータコア（110）は、図１，２に示すように、１つのバックヨーク部（111）、それぞれ複数（この例では９つ）のティース部（112）およびツバ部（113）を備えている。なお、図２には、１つのティース部（112）を主に描いてある。
【００２７】
各ティース部（112）は、ステータコア（110）において径方向に伸びる直方体状の部分である。各ティース部（112）同士の間の空間は、コイル（120）が収容されるスロット（114）である。
【００２８】
バックヨーク部（111）は、円環状をしている。バックヨーク部（111）は、各ティース部（112）を該ティース部（112）の外周側で連結している。ステータコア（110）は、バックヨーク部（111）の外周部がケーシング（20）の内面に固定されている。
【００２９】
ツバ部（113）は、各ティース部（112）の内周側に連なる部分である。ツバ部（113）は、ティース部（112）よりも幅（周方向の長さ）が大きく構成されている。ツバ部（113）は、内周側の面が円筒面である。その円筒面は、後述のロータコア（210）の外周面（円筒面）と所定の距離（エアギャップ（G））をもって対向している。
【００３０】
ティース部（112）には、いわゆる集中巻方式で、コイル（120）が巻回されている。つまり、１つのティース部（112）ごとにコイル（120）が巻回され、巻回されたコイル（120）はスロット（114）内に収容されている。図３に示すように、ティース部（112）の軸方向の両端面側からインシュレータ（131）が設けられると共に、コイル（120）とティース部（112）の間には、絶縁フィルム（130）が設けられている。本実施形態では、絶縁フィルム（130）は、ポリエチレンテレフタレートのフィルムである。
【００３１】
〈ロータの構成〉
図４にも示すように、ロータ（200）は、ロータコア（210）（磁心）、複数の永久磁石（220）および２つの端板（230）を備え、全体が略円筒状に形成されている。本実施形態のロータ（200）は、６つの永久磁石（220）を備えている。
【００３２】
ロータコア（210）は、電磁鋼板（P）をプレス加工によって打ち抜いて積層板を作成し、複数の積層板を軸方向に積層した積層コアである。ロータコア（210）には、永久磁石（220）が挿入された複数の磁石用スロット（211）が形成されている。各磁石用スロット（211）は、ロータコア（210）の周方向（軸心回り）に６０°ピッチで配置されている。各磁石用スロット（211）は、軸方向から見て概ねＵ字状の形状を有し、ロータコア（210）を軸方向に貫通している。詳しくは、各磁石用スロット（211）は、ロータコア（210）の半径と直交する磁石挿入部（212）と、該磁石挿入部（212）から外周側に延びる２つのバリア部（213）とで構成されている。磁石挿入部（212）は、平面視がやや細長い長方形であり（図１も参照）、該磁石挿入部（212）に永久磁石（220）が挿入される。ロータコア（210）においては、磁石用スロット（211）の外周側部分がコア外周部（217）となっており、磁石用スロット（211）の内周側部分がコア内周部（218）となっている。
【００３３】
永久磁石（220）は、板状に形成され、平面視において、幅が磁石挿入部（212）の長さよりも短い。つまり、磁石挿入部（212）では、永久磁石（220）が該永久磁石（220）の平面視長手方向の両端側に空隙を存して挿入されている。また、永久磁石（220）は、軸方向の両端部をロータコア（210）の軸方向端から内側にオフセットされている（図８，９参照）。なお、永久磁石（220）は、磁石挿入部（212）内で移動しないように、例えば接着するなどしてロータコア（210）に固定される。
【００３４】
端板（230）は、円板状の形態を有し、例えばステンレスなどの非磁性金属で形成されている。端板（230）は、ロータコア（210）の両端側に積層される。ロータコア（210）と２つの端板（230）は、ボルト穴（216,233）に通した６つのボルトで固定される。この積層状態において、永久磁石（220）の軸方向端部は、上述したようにロータコア（210）の軸方向端から内側にオフセットしているため、端板（230）には接触しない。
【００３５】
なお、ロータコア（210）および各端板（230）の中心には、軸穴（215,232）が形成され、この軸穴（215）に鉄などの金属で構成された駆動軸（300）が嵌合される（図１参照）。駆動軸（300）は、上記電動圧縮機のケーシング（20）内に収容された圧縮機構（図示は省略）を駆動するためのものである。
【００３６】
〈端板の構成〉
端板（230）の詳細な構成について図４〜図７を参照しながら説明する。端板（230）は、略円板状の本体（231）を備えている。本体（231）の外縁部には、該本体（231）の周方向に複数（本実施形態では、６箇所）の薄肉部（235）が形成されている。この薄肉部（235）は、本体（231）の厚さよりも薄くなっている。薄肉部（235）は、本体（231）に形成されたボルト穴（233）を中心とする平面視扇状に形成されており、本体（231）の外縁まで形成されている。薄肉部（235）では、扇状の２つの辺に相当する側壁（236）がテーパ状となっている（図６参照）。
【００３７】
そして、本実施形態の薄肉部（235）には、バイメタル（251）が取り付けられている。バイメタル（251）は、やや細長い矩形状の板材であり、各薄肉部（235）に対して２つずつ設けられている。バイメタル（251）は、薄肉部（235）における側壁（236）に沿って設けられている。端板（230）では、バイメタル（251）が取り付けられる面（例えば、図５に示す面）がロータコア（210）側となる内側面である。バイメタル（251）の厚さは、薄肉部（235）の深さよりも薄くなっている（図６参照）。
【００３８】
図７に示すように、端板（230）とロータコア（210）が積層された状態において、バイメタル（251）は、永久磁石（220）と離隔しており、平面視でロータコア（210）の磁石用スロット（211）と交差している。具体的に、バイメタル（251）は、平面視において、磁石用スロット（211）の磁石挿入部（212）のうち、永久磁石（220）が挿入されていない部分を直交するように重なっている。つまり、バイメタル（251）は、磁石挿入部（212）における永久磁石（220）の平面視長手方向の両端側の空隙部分を直交している。
【００３９】
バイメタル（251）は、温度が高くなると（即ち、熱が加えられると）変形する部材である。本実施形態のバイメタル（251）としては、低膨張材料と高膨張材料が挙げられる。低膨張材料の例としては、ニッケル−鉄などが用いられる。高膨張材料の例としては、銅、ニッケル、銅−亜鉛、ニッケル−銅、ニッケル−マンガン−鉄、ニッケル−クロム−鉄、マンガン−ニッケル−銅などが用いられる。本実施形態のバイメタル（251）は、温度が高くなると、長手方向両端がロータコア（210）側へ折れ曲がって、ロータコア（210）のコア外周部（217）とコア内周部（218）とに接触するように構成されている（図９参照）。つまり、バイメタル（251）は、温度に応じて変形することによって、ロータコア（210）のコア外周部（217）とコア内周部（218）218）とに磁気的に繋がる磁気接続部材を構成している。また、本実施形態のバイメタル（251）は、磁石用スロット（211）の磁気抵抗よりも小さい磁気抵抗を有するものである。
【００４０】
〈逆磁界作用時の磁路〉
図８に示すように、例えばモータ（10）の周囲の気温または冷媒温度がそれ程高くない状態（常温状態）では、バイメタル（251）は変形せずに真っ直ぐな板状のままである。この状態では、バイメタル（251）の厚さが薄肉部（235）の深さよりも薄いため、バイメタル（251）はロータコア（210）には接触しない。
【００４１】
このような常温状態において、ロータ（200）に逆磁界が作用したとしても、その逆磁界による永久磁石（220）の減磁はそれ程発生しない。
【００４２】
図９に示すように、例えばモータ（10）の周囲の気温または冷媒温度が上昇して高温状態になると、バイメタル（251）の両端がロータコア（210）側へ折れ曲がるように変形する。折れ曲がったバイメタル（251）の両端は、ロータコア（210）におけるコア外周部（217）とコア内周部（218）とに接触する。つまり、バイメタル（251）は、永久磁石（220）と離隔した状態で、磁石挿入部（212）を跨いでコア外周部（217）およびコア内周部（218）と接触する。詳しくは、バイメタル（251）は、コア外周部（217）およびコア内周部（218）のうち、磁石挿入部（212）における永久磁石（220）の両側に存する空隙に対応する部分と接触する。これによって、コア外周部（217）とコア内周部（218）とが磁気的に接続される。
【００４３】
このような高温状態において、ロータ（200）に逆磁界が作用し、ステータ（100）からロータコア（210）のコア外周部（217）に磁束が作用したとする。この場合、コア外周部（217）へ作用した逆磁界による磁束は、その全体または一部が永久磁石（220）を通過せずにバイメタル（251）を介してコア内周部（218）へ向かう（図９の矢印を参照）。つまり、磁石用スロット（211）の磁気抵抗よりも小さい磁気抵抗を有するバイメタル（251）がコア外周部（217）と接触しているため、磁束は永久磁石（220）を通過せずにバイメタル（251）を通過する。このように、本実施形態では、ロータコア（210）へ作用した逆磁界の磁路は、バイメタル（251）によって永久磁石（220）の部分が短絡する。これによって、逆磁界による永久磁石（220）の減磁が抑制される。なお、バイメタル（251）は、温度が低下すると、再び変形前の形状（即ち、真っ直ぐな板状）に戻る。
【００４４】
−実施形態の効果−
以上のように、本実施形態によれば、温度に応じて、ロータコア（210）におけるコア外周部（217）とコア内周部（218）とに磁気的に繋がる磁気接続部材（バイメタル（251））を設けるようにした。そのため、ステータ（100）からロータコア（210）のコア外周部（217）へ逆磁界が作用した場合、その磁束の全部または一部を、永久磁石（220）を通過させることなく磁気接続部材（251）を介して内周側部分（218）へ向かわせることができる。これによって、逆磁界による永久磁石（220）の減磁を抑制することができる。また、磁気接続部材（251）を設けるのみなので、ロータコア（210）のサイズを小さくしなくてもすむこれによって、モータ（10）としての性能が低下するのを回避できる。その結果、性能を低下させることなく、永久磁石（220）の減磁を抑制することができる。
【００４５】
また、永久磁石（220）が例えばネオジウム磁石である場合、高温領域で逆磁界による減磁が発生しやすい。したがって、本実施形態のように、磁気接続部材（バイメタル（251））が高温領域でコア外周部（217）とコア内周部（218）とに繋がるように構成することで、逆磁界による永久磁石（220）の減磁を効果的に抑制することが可能である。
【００４６】
また、本実施形態では、磁気接続部材として温度に応じて変形するバイメタル（251）を用いるようにしたため、逆磁界による永久磁石（220）の減磁を簡易且つコンパクトな構成で抑制することができる。
【００４７】
また、本実施形態では、ロータコア（210）に積層される端板（230）に薄肉部（235）を設けて、その薄肉部（235）に磁気接続部材（バイメタル（251））を設けるようにしたので、ロータ（200）の大型化を招くことなく、永久磁石（220）の減磁を抑制することが可能である。
【００４８】
また、永久磁石（220）の減磁は、永久磁石（220）の両端部において発生しやすい。そこで、本実施形態では、磁気接続部材（バイメタル（251））が、永久磁石（220）の両端側においてコア外周部（217）とコア内周部（218）とに接触するようにしたので、逆磁界による永久磁石（220）の減磁を効果的に抑制することができる。
【００４９】
《関連技術》
本関連技術は、上記実施形態１におけるバイメタル（251）に代えて感温磁性部材（252）を設けるようにしたものである。つまり、本関連技術のモータ（10）は、磁気接続部材として感温磁性部材（252）を備えているものである。
【００５０】
図１０に示すように、本関連技術において、感温磁性部材（252）は、やや細長い矩形状の板材であり、ロータコア（210）の磁石用スロット（211）に挿入されている。感温磁性部材（252）は、各磁石用スロット（211）に対して２つずつ設けられている。詳しくは、感温磁性部材（252）は、磁石挿入部（212）における永久磁石（220）の平面視長手方向の両端側に存する空隙の部分に挿入されている。磁石挿入部（212）において、感温磁性部材（252）は、永久磁石（220）と離隔する一方、該磁石挿入部（212）の内壁と接触する状態で挿入されている。つまり、感温磁性部材（252）は、ロータコア（210）におけるコア外周部（217）とコア内周部（218）とに接触した状態で設けられている。また、感温磁性部材（252）は、軸方向の両端がロータコア（210）の軸方向端面と面一となる状態で磁石挿入部（212）に挿入されている（図１１参照）。
【００５１】
本関連技術の感温磁性部材（252）は、温度が低くなると（即ち、吸熱されると）、磁性を有する部材である。つまり、本関連技術の感温磁性部材（252）は、温度に応じて磁性を有することで、ロータコア（210）におけるコア外周部（217）とコア内周部（218）とに磁気的に繋がる。これによって、コア外周部（217）とコア内周部（218）とが感温磁性部材（252）を介して磁気的に接続される。感温磁性部材（252）としては、鉄−ニッケル合金などが用いられる。また、磁性を有したときの感温磁性部材（252）の磁気抵抗は、磁石用スロット（211）の磁気抵抗よりも小さい。
【００５２】
本関連技術において、モータ（10）が常温状態になると、感温磁性部材（252）は磁性を失って非磁性体となる。このような常温状態において、ロータ（200）に逆磁界が作用したとしても、その逆磁界による永久磁石（220）の減磁はそれ程発生しない。
【００５３】
本関連技術において、モータ（10）が低温状態になると、感温磁性部材（252）は磁性を有する磁性体となる。この状態では、図１１に示すように、ロータコア（210）のコア外周部（217）へ作用した逆磁界による磁束は、その全体または一部が永久磁石（220）を通過せずに感温磁性部材（252）を介してコア内周部（218）へ向かう。
【００５４】
以上のように、本関連技術では、低温状態において、ロータコア（210）のコア外周部（217）へ作用した逆磁界による磁束が永久磁石（220）を通過するのを抑制することができる。したがって、逆磁界による永久磁石（220）の減磁を抑制することができる。
【００５５】
また、永久磁石（220）が例えばフェライト磁石である場合、低温領域において逆磁界による減磁が発生しやすい。したがって、本関連技術のように、磁気接続部材（感温磁性部材（252））が低温領域でコア外周部（217）とコア内周部（218）とに磁気的に繋がるように構成することで、逆磁界による永久磁石（220）の減磁を効果的に抑制することが可能である。
【００５６】
また、本関連技術では、磁気接続部材として温度に応じて磁性を有する感温磁性部材（252）を用いるようにしたため、永久磁石（220）の減磁を簡易且つコンパクトな構成で抑制することができる。
【００５７】
また、本関連技術では、感温磁性部材（252）をロータコア（210）に形成された磁石用スロット（211）に挿入するようにしたため、ロータ（200）の大型化を招くことなく、永久磁石（220）の減磁を抑制することが可能である。
【００５８】
また、永久磁石（220）の減磁は永久磁石（220）の両端部において発生しやすいところ、本関連技術によれば、感温磁性部材（252）が永久磁石（220）の両端側においてコア外周部（217）とコア内周部（218）とに接触するようにしたので、逆磁界による永久磁石（220）の減磁を効果的に抑制することができる。その他の構成、作用および効果は上記実施形態１と同様である。
【００５９】
《その他の実施形態》
上記各実施形態については、以下の構成にするようにしてもよい。
【００６０】
例えば、上記各実施形態において、バイメタル（251）の設置箇所は上述したものに限らない。本発明において、バイメタル（251）の設置箇所は、温度に応じてコア外周部（217）とコア内周部（218）とに磁気的に繋がる箇所であればよい。
【産業上の利用可能性】
【００６１】
以上説明したように、本発明は、磁石が挿入されたロータを有する回転電気機械について有用である。
【符号の説明】
【００６２】
10       モータ（回転電気機械）
100      ステータ
110      ステータコア
200      ロータ
210      ロータコア
211      磁石用スロット
217      コア外周部（外周側部分）
218      コア内周部（内周側部分）
220      永久磁石
251      バイメタル（磁気接続部材）
252      感温磁性部材（磁気接続部材） 
【図１】
0005720375.tif 000002
【図２】
0005720375.tif 000003
【図３】
0005720375.tif 000004
【図４】
0005720375.tif 000005
【図５】
0005720375.tif 000006
【図６】
0005720375.tif 000007
【図７】
0005720375.tif 000008
【図８】
0005720375.tif 000009
【図９】
0005720375.tif 000010
【図１０】
0005720375.tif 000011
【図１１】
0005720375.tif 000012